(57)【要約】【課題】低コストかつ小型の無線通信装置を提供する。【解決手段】無線通信装置を、相手方装置との間で電波を送受信する電波送受信手段１と、電波送受信手段１に備えられたアンテナ２と、電波送受信手段１にて受信された電波の強度を測定し、測定された電波強度に応じた電波強度信号Ｗを出力する電波強度測定手段３と、複数の照光プッシュスイッチ４ａ，４ｂ，４ｃ，・・・４ｌを備えた入力手段４と、電波強度信号Ｗに基づいて所要の照光プッシュスイッチの照光制御を行うコントローラ（制御手段）５とから構成する。照光プッシュスイッチを電波強度信号Ｗの表示部として兼用するので、液晶表示装置等の特別な表示装置の設置を省略することができる。【選択図】図１
2005269367.tif 000002
【特許請求の範囲】
【請求項１】
相手方装置との間で電波を送受信する電波送受信手段と、当該電波送受信手段にて受信された電波の強度を測定し、測定された電波強度に応じた電波強度信号を出力する電波強度測定手段と、複数の照光プッシュスイッチを備えた入力手段と、前記電波強度信号に応じた前記電波強度の表示を行う受信強度表示手段と、前記表示手段の表示制御を行う制御手段とを備えた無線通信装置であって、
前記照光プッシュスイッチの照光部を前記表示手段として兼用し、前記制御手段は、前記照光プッシュスイッチの照光部を前記電波強度信号に基づいて照光制御することを特徴とする無線通信装置。
【請求項２】
前記複数の照光プッシュスイッチとして照光部にそれぞれ異なる数字が表記されたものを用い、前記制御手段は、前記電波強度信号のレベルが予め定められたどのランクに入るのかの判定を行い、判定された前記電波強度信号のランクが高いほど大きな数字が表記された前記照光プッシュスイッチの照光部を選択的に照光制御することを特徴とする請求項１に記載の無線通信装置。
【請求項３】
前記制御手段は、前記電波強度信号のレベルが前記相手方装置との間で電波を安定に送受信可能なレベル以上であるか否かの判定を行い、その判定結果に基づいて前記照光プッシュスイッチの照光部を異なる態様で照光制御することを特徴とする請求項１に記載の無線通信装置。
【発明の詳細な説明】
【技術分野】
【０００１】
本発明は無線通信装置に係り、特に、照光プッシュスイッチと電波強度測定手段とを備えた無線通信装置における照光プッシュスイッチを用いた電波強度の表示手段に関する。
【背景技術】
【０００２】
従来より、携帯電話や電話機能付きカーナビゲーション装置などの無線通信装置には、電波送受信手段にて受信された電波の強度を測定し測定された電波強度に応じた電波強度信号を出力する電波強度測定手段と、液晶表示装置と、液晶表示装置の駆動制御装置とが備えられており、駆動制御装置は、図４に示すように、液晶表示装置１００に電波強度測定手段から出力される電波強度信号に応じた電波強度マーク１０１を表示するようになっている（例えば、特許文献１参照。）。
【０００３】
即ち、従来の無線通信装置においては、電波強度が弱程度である場合には液晶表示装置１００に電波強度マーク１０１を１本のみ点灯し、中程度である場合には液晶表示装置１００に電波強度マーク１０１を２本点灯し、強程度である場合には液晶表示装置１００に電波強度マーク１０１を３本点灯する。
【０００４】
このように、液晶表示装置１００に電波送受信手段にて受信された電波の強度に応じた電波強度マーク１０１を表示すると、ユーザはこの電波強度マーク１０１を目視することにより、通話開始前に相手方装置との間の電波状態が通話に適した状態か否かを確認することができるので、無駄な通話開始操作の実行を未然に防止でき、無線通信装置の使い勝手を良好なものにすることができる。
【特許文献１】特開平１１−３３１４１８号公報
【発明の開示】
【発明が解決しようとする課題】
【０００５】
しかるに、液晶表示装置１００に電波強度マーク１０１を表示する構成にすると、液晶表示装置１００を必須の構成要素として備えなくてはならないので、無線通信装置の低コスト化及び小型化を図ることが困難になる。
【０００６】
本発明は、かかる従来技術の問題点を解決するためになされたものであって、その目的は、無線通信装置の低コスト化及び小型化を図ることにある。
【課題を解決するための手段】
【０００７】
本発明は、前記課題を解決するため、相手方装置との間で電波を送受信する電波送受信手段と、当該電波送受信手段にて受信された電波の強度を測定し、測定された電波強度に応じた電波強度信号を出力する電波強度測定手段と、複数の照光プッシュスイッチを備えた入力手段と、前記電波強度信号に応じた前記電波強度の表示を行う受信強度表示手段と、前記表示手段の表示制御を行う制御手段とを備えた無線通信装置であって、前記照光プッシュスイッチの照光部を前記表示手段として兼用し、前記制御手段は、前記照光プッシュスイッチの照光部を前記電波強度信号に基づいて照光制御するという構成にした。
【０００８】
このように、照光プッシュスイッチの照光部を電波強度の表示手段として兼用すると、電波強度表示手段としての液晶表示装置を省略することができる。よって、液晶表示装置を省略したことによる無線通信装置の低コスト化と小型化とを図ることができる。
【０００９】
また、本発明は、前記構成の無線通信装置において、前記複数の照光プッシュスイッチとして照光部にそれぞれ異なる数字が表記されたものを用い、前記制御手段は、前記電波強度信号のレベルが予め定められたどのランクに入るのかの判定を行い、判定された前記電波強度信号のランクが高いほど大きな数字が表記された前記照光プッシュスイッチの照光部を選択的に照光制御するという構成にした。
【００１０】
携帯電話などの入力部には、電話番号などを入力するためのテンキーが備えられている。したがって、テンキーを構成する照光プッシュスイッチに表記された数字と制御手段にて判定された電波強度のランクとを対応させることによって電波強度のランクを視覚的にユーザに認識させることができる。
【００１１】
また、本発明は、前記構成の無線通信装置において、前記制御手段は、前記電波強度信号のレベルが前記相手方装置との間で電波を安定に送受信可能なレベル以上であるか否かの判定を行い、その判定結果に基づいて前記照光プッシュスイッチの照光部を異なる態様で照光制御するという構成にした。
【００１２】
無線通信に際しては、電波強度が無線通信を安定に行えるレベル以上にあるか否かが認識できれば足りる。したがって、電波強度信号のレベルが相手方装置との間で電波を安定に送受信可能なレベル以上であるか否かによって照光プッシュスイッチの照光部を異なる態様で照光制御することによりユーザに現在無線通信が可能か否か認識させることができ、無線通信装置の使用を円滑なものにすることができる。
【発明の効果】
【００１３】
本発明の無線通信装置は、照光プッシュスイッチの照光部を電波強度の表示手段として兼用するので、電波強度表示手段としての液晶表示装置を省略することができ、これに伴う無線通信装置の低コスト化と小型化とを図ることができる。
【発明を実施するための最良の形態】
【００１４】
以下、本発明に係る無線通信装置の実施形態例を図１乃至図３に基づいて説明する。図１は実施形態例に係る無線通信装置の構成図、図２は実施形態例に係る照光プッシュスイッチの照光手順を示すフロー図、図３は実施形態例に係る照光プッシュスイッチの照光手順の他の例を示すフロー図である。
【００１５】
図１に示すように、実施形態例に係る無線通信装置は、図示しない相手方装置との間で電波を送受信する電波送受信手段１と、当該電波送受信手段１に備えられたアンテナ２と、前記電波送受信手段１にて受信された電波の強度を測定し、測定された電波強度に応じた電波強度信号Ｗを出力する電波強度測定手段３と、複数の照光プッシュスイッチ４ａ，４ｂ，４ｃ，・・・４ｌを備えた入力手段４と、前記電波強度信号Ｗに基づいて前記複数の照光プッシュスイッチ４ａ，４ｂ，４ｃ，・・・４ｌの照光制御を行うコントローラ（制御手段）５とから主に構成されている。なお、本明細書において「照光プッシュスイッチ」とは、照光部が形成されたキートップとランプとを備えており、キートップがプッシュ操作されたとき、前記照光部にランプから放射された光を導いて照光部を明るく照らし出すものをいう。
【００１６】
前記照光プッシュスイッチ４ａ，４ｂ，４ｃ，・・・４ｌには、図１に示すように、「０」から「９」までの数字と「アスタリスク」及び「シャープ」の符号とがそれぞれ照光部として表記されている。
【００１７】
次に、本発明を車載電話機に応用した場合を例にとり、コントローラ５によって行われる照光プッシュスイッチ４ａ，４ｂ，４ｃに対する電波強度信号Ｗに応じた照光制御の手順を図２に示す。
【００１８】
即ち、コントローラ５は、自動車のイグニションスイッチがオン操作されるのを待ち（手順Ｓ１）、イグニションスイッチがオン操作されたときに、照光プッシュスイッチ４ａ，４ｂ，４ｃを全て点灯させる（手順Ｓ２）。次に、コントローラ５は、電波強度測定手段３から出力される電波強度信号Ｗのレベルが予め定められた第１ランクＷ１以上であるか否かを判定し（手順Ｓ３）、第１ランクＷ１以上であると判定された場合には、照光プッシュスイッチ４ａに形成された「１」の数字を選択的に点滅させる（手順Ｓ４）。また、コントローラ５は、電波強度測定手段３から出力される電波強度信号Ｗのレベルが予め定められた第２ランクＷ２以上であるか否かを判定し（手順Ｓ５）、第２ランクＷ２以上であると判定された場合には照光プッシュスイッチ４ａに形成された「１」の数字と照光プッシュスイッチ４ｂに形成された「２」の数字とを選択的に点滅させる（手順Ｓ６）。さらに、コントローラ５は、電波強度測定手段３から出力される電波強度信号Ｗのレベルが予め定められた第３ランクＷ３以上であるか否かを判定し（手順Ｓ７）、第３ランクＷ３以上であると判定された場合には照光プッシュスイッチ４ａに形成された「１」の数字と照光プッシュスイッチ４ｂに形成された「２」の数字と照光プッシュスイッチ４ｃに形成された「３」の数字とを全て点滅させる（手順Ｓ８）。以下、手順Ｓ２〜手順Ｓ８の動作をイグニションスイッチがオフ操作されるまで（手順Ｓ９）繰り返す。
【００１９】
これにより、ユーザは、現在の電波強度の状態を視覚的、直感的に知ることができ、電波強度の状態が悪いときに通話開始操作をするなどの無駄を防止することができる。
【００２０】
照光プッシュスイッチ４ａ，４ｂ，４ｃ，・・・４ｌに対する照光制御の他の例を、図３に基づいて説明する。なお、本例の無線通信装置は、電話機が自動車に設けられたトレー上に設置されており、電話機をトレーから取り出すことにより通話が可能になるタイプの車載電話機を例にとって説明している。
【００２１】
即ち、コントローラ５は、電話機がトレーから取り出されるのを待ち（手順Ｓ１１）、電話機がトレーから取り出されたときに、電波強度測定手段３から出力される電波強度信号Ｗのレベルが安定な通話を行えるレベルとして予め設定されたＷｔｈ以上であるか否かを判定し（手順Ｓ１２）、Ｗｔｈ以上であると判定された場合には、照光プッシュスイッチ４ａ，４ｂ，４ｃ，・・・４ｌを全て点灯させ（手順Ｓ１３）、Ｗｔｈ未満であると判定された場合には、照光プッシュスイッチ４ａ，４ｂ，４ｃ，・・・４ｌを全て点滅させる（手順Ｓ１４）。以下、手順Ｓ１２〜手順Ｓ１４の動作を電話機がトレーの収納されるまで（手順Ｓ１５）繰り返す。なお、本例においては、全ての照光プッシュスイッチ４ａ，４ｂ，４ｃ，・・・４ｌについて照光制御を行ったが、照光プッシュスイッチ４ａ，４ｂ，４ｃ，・・・４ｌから選択される１個又は複数個の照光プッシュスイッチについてのみ照光制御を行うこともできる。
【００２２】
本例の制御手順によっても、ユーザに現在無線通信が可能か否か認識させることができるので、無線通信装置の使用を円滑なものにすることができる。
【図面の簡単な説明】
【００２３】
【図１】実施形態例に係る無線通信装置の構成図である。
【図２】実施形態例に係る照光プッシュスイッチの照光手順を示すフロー図である。
【図３】実施形態例に係る照光プッシュスイッチの照光手順の他の例を示すフロー図である。
【図４】従来例に係る無線通信装置の電波強度表示方法を示す説明図である。
【符号の説明】
【００２４】
１    電波送受信手段
２    アンテナ
３    電波強度測定手段３
４    入力手段
４ａ〜４ｌ    照光プッシュスイッチ
５    コントローラ（制御手段）
【図１】
2005269367.tif 000003
【図２】
2005269367.tif 000004
【図３】
2005269367.tif 000005
【図４】
2005269367.tif 000006